(57)【特許請求の範囲】
【請求項１】
受電装置に送電する送電装置であって、
前記受電装置のユーザ情報を取得する取得手段と、
前記取得手段により取得した前記受電装置のユーザ情報に基づいて、前記送電装置と前記受電装置のユーザが同じであるか否かを判定する判定手段と、
前記判定手段により前記送電装置と前記受電装置のユーザが同じであると判定された場合、該ユーザが同じでないと判定された場合よりも送電量が多くなるように、前記取得手段により取得した前記受電装置のユーザ情報に基づいて、前記送電装置から前記受電装置への送電量を決定する送電量決定手段と、
前記受電装置への送電を行うか否かを決定する送電決定手段と
前記受電装置への送電を行うことを前記送電決定手段が決定した場合、前記送電量決定手段により決定した前記送電量に応じた電力を前記受電装置に送電する送電手段であって、前記送電装置と前記受電装置のユーザが同じであると判定された場合、該ユーザが同じでないと判定された場合よりも送電量が多くなるように決定された送電量に応じた電力を前記受電装置に送電する送電手段と、
を有することを特徴とする送電装置。
【請求項２】
前記受電装置の優先度を設定する設定手段を更に有し、
前記送電量決定手段は、前記受電装置のユーザ情報、前記送電装置のユーザ情報、および、前記設定手段により設定された前記優先度に基づいて、前記送電量を決定する
ことを特徴とする請求項１に記載の送電装置。
【請求項３】
前記設定手段は、前記送電装置の使用頻度と前記受電装置の使用頻度とに基づいて、前記優先度を設定することを特徴とする請求項２に記載の送電装置。
【請求項４】
前記設定手段は、前記送電装置の電池容量と前記受電装置の電池容量とに基づいて、前記優先度を設定することを特徴とする請求項２に記載の送電装置。
【請求項５】
前記受電装置が要求する送電量を受信する第１の受信手段を更に有し、
前記送電量決定手段は、更に前記第１の受信手段により受信した前記受電装置が要求する送電量に基づいて、前記送電装置から前記受電装置への送電量を決定する
ことを特徴とする請求項１乃至４のいずれか１項に記載の送電装置。
【請求項６】
前記受電装置の電池残量を受信する第２の受信手段を更に有し、
前記送電量決定手段は、更に前記第２の受信手段により受信した前記受電装置と前記送電装置の電池残量とに基づいて、前記送電装置から前記受電装置への送電量を決定する
ことを特徴とする請求項１乃至５のいずれか１項に記載の送電装置。
【請求項７】
送電装置の制御方法であって、
受電装置のユーザ情報を取得する取得工程と、
取得工程により取得した前記受電装置のユーザ情報に基づいて、前記送電装置と前記受電装置のユーザが同じであるか否かを判定する判定工程と、
前記判定工程により前記送電装置と前記受電装置のユーザが同じであると判定された場合、該ユーザが同じでないと判定された場合よりも送電量が多くなるように、前記受電装置のユーザ情報に基づいて、前記送電装置から前記受電装置への送電量を決定する送電量決定工程と、
前記受電装置への送電を行うか否かを決定する送電決定工程と、
前記受電装置への送電を行うことが前記送電決定工程により決定された場合、前記送電量決定工程において決定した前記送電量に応じた電力を前記受電装置に送電する送電工程であって、前記送電装置と前記受電装置のユーザが同じであると判定された場合、該ユーザが同じでないと判定された場合よりも送電量が多くなるように決定された送電量に応じた電力を前記受電装置に送電する送電工程と、
を有することを特徴とする制御方法。
【請求項８】
送電装置と受電装置とを含むシステムであって、
前記送電装置は、
前記受電装置のユーザ情報を取得する取得手段と、
前記取得手段により取得した前記受電装置のユーザ情報に基づいて、前記送電装置と前記受電装置のユーザが同じであるか否かを判定する判定手段と、
前記判定手段により前記送電装置と前記受電装置のユーザが同じであると判定された場合、該ユーザが同じでないと判定された場合よりも送電量が多くなるように、前記取得手段により取得した前記受電装置のユーザ情報に基づいて、前記送電装置から前記受電装置への送電量を決定する送電量決定手段と、
前記受電装置への送電を行うか否かを決定する送電決定手段と、
前記受電装置への送電を行うことが前記送電決定手段により決定された場合、前記送電量決定手段により決定した前記送電量に応じた電力を前記受電装置に送電する送電手段であって、前記送電装置と前記受電装置のユーザが同じであると判定された場合、該ユーザが同じでないと判定された場合よりも送電量が多くなるように決定された送電量に応じた電力を前記受電装置に送電する送電手段と、
を有することを特徴とするシステム。
【請求項９】
コンピュータを請求項１乃至６のいずれか１項に記載の送電装置として機能させるためのプログラム。
【発明の詳細な説明】
【技術分野】
【０００１】
本発明は装置間で電力の送受電を行うシステムにおける送電装置および送電方法に関する。
【背景技術】
【０００２】
装置間で電力の送受電を行うシステムがある。特許文献１では、装置のユーザがユーザインターフェース（以下、ＵＩ）上で送電量を設定して、装置間で電力の送受電を行っている。
【先行技術文献】
【特許文献】
【０００３】
【特許文献１】特開２０１０−１１５０６４
【発明の概要】
【発明が解決しようとする課題】
【０００４】
装置間で送受電を行うシステムでは、装置を所有するユーザに応じて送電量に差をつけたい場合がある。例えば、送電装置と受電装置のユーザが異なる場合の送電量は、ユーザが同一である場合の送電量と比較して少なく設定したいという要望がある。一方で、送電量をＵＩ上で設定するのでは、ユーザの操作が煩雑になってしまう。
【課題を解決するための手段】
【０００５】
上記課題を解決するための本発明の送電装置は、受電装置のユーザ情報を取得する取得手段と、前記取得手段により取得した前記受電装置のユーザ情報に基づいて、前記送電装置と前記受電装置のユーザが同じであるか否かを判定する判定手段と、前記判定手段により前記送電装置と前記受電装置のユーザが同じであると判定された場合、該ユーザが同じでないと判定された場合よりも送電量が多くなるように、前記取得手段により取得した前記受電装置のユーザ情報に基づいて、前記送電装置から前記受電装置への送電量を決定する送電量決定手段と、前記受電装置への送電を行うか否かを決定する送電決定手段と、前記受電装置への送電を行うことを前記送電決定手段が決定した場合、前記送電量決定手段により決定した前記送電量に応じた電力を前記受電装置に送電する送電手段であって、前記送電装置と前記受電装置のユーザが同じであると判定された場合、該ユーザが同じでないと判定された場合よりも送電量が多くなるように決定された送電量に応じた電力を前記受電装置に送電する送電手段とを有する。
【発明の効果】
【０００６】
ユーザが送電量を設定することなく、送電装置と受電装置の各々のユーザに応じた送電量を設定できる。
【図面の簡単な説明】
【０００７】
【図１】本発明のシステム構成図
【図２】ＤＳＣ１００のブロック図
【図３】携帯電話１０１のブロック図
【図４】装置状態記憶部
【図５】暫定量記憶部
【図６】送電量記憶部
【図７】実施例１のシーケンス図
【図８】ＤＳＣ１００の制御部２０９のフロー
【図９】決定部２０３のフロー
【発明を実施するための形態】
【０００８】
［実施例１］
図１に本発明のシステム構成図を示す。図１において、デジタルスチルカメラ（以下、ＤＳＣ）１００は送電装置、携帯電話１０１は受電装置として動作する。１０２はＤＳＣ１００のユーザであり、１０３は携帯電話１０１のユーザである。
【０００９】
図２は、ＤＳＣ１００のブロック図である。通信部２００は、受電装置である携帯電話１０１との通信を行う。装置状態記憶部２０１は、ＤＳＣ１００および携帯電話１０１それぞれの電池残量やユーザ情報等を記憶する。本実施形態では、ユーザ情報は、ＤＳＣ１００および携帯電話１０１の各々において、ユーザが事前に設定しておくものとする。暫定量記憶部２０２は、電池残量やユーザ情報等に基づいた暫定の送電量を記憶する。決定部２０３は暫定量記憶部２０２や装置状態記憶部２０１に基づいて、携帯電話１０１に送電する送電量を決定する。送電量記憶部２０４は、前記暫定の送電量や、決定部２０３が決定する送電量を記憶する。送電部２０５は、決定部２０３が決定した送電量を携帯電話１０１へ送電する。２０６はＤＳＣ１００に内蔵される電池である。給電部２０７は、送電装置であるＤＳＣ１００が図示しない外部の電源から給電される部分である。カメラ部２０８はＤＳＣ１００がデジタルスチルカメラとして動作する為の機能を持つ。そして制御部２０９は、記憶部２１０に記憶されたプログラムを読み出して実行することで、ＤＳＣ１００全体の制御を行う。
【００１０】
図３は本発明に適用できる携帯電話１０１のブロック図である。通信部３００はＤＳＣ１００との通信を行う。受電部３０１は送電部２０５が送電する電力を受電する。通話部３０２は携帯電話１０１の通話機能であり、カメラ部３０３は携帯電話１０１のカメラ機能である。３０４は携帯電話１０１に内蔵される電池である。制御部３０５は、記憶部３０６に記憶されたプログラムを読み出して実行することで、携帯電話１０１全体を制御する。
【００１１】
なお、ここでは、制御部２０９、制御部３０５としてＣＰＵ、記憶部２１０としてＲＡＭおよびＲＯＭを用いる。しかしこれに限らず、制御部２０９、制御部３０５としてＭＰＵを用いてもよい。また、記憶部２１０、記憶部３０６としてフレキシブルディスク、ハードディスク、光ディスク、光磁気ディスク、ＣＤ−ＲＯＭ、ＣＤ−Ｒ、磁気テープ、不揮発性のメモリカード、ＤＶＤなどの記憶媒体を用いてもよい。
【００１２】
また、これらのブロックうちの複数のブロックを纏めて１つのブロックとして実現させるようにしてもよいし、１つのブロックを複数のブロックに分割して実現させるようにしてもよい。
【００１３】
図４に、装置状態記憶部２０１が記憶するテーブルを示す。図４（ａ）は送電装置であるＤＳＣ１００の装置状態を記憶するためのテーブルである。図４（ａ）によれば、ＤＳＣ１００の電池残量４００は電池２０６の容量の２０％である。ユーザ情報４０１はＤＳＣ１００のユーザ１０２の識別情報である“Ａ”を記憶している。使用頻度４０２はＤＳＣ１００の一日の使用状況を記憶する。使用頻度４０２によればＤＳＣ１００は一日に０．５時間使用される。給電４０３はＤＳＣ１００が図示しない外部の商用電源から給電されている場合は“１”を、そうでない場合は“０”を記憶する。
【００１４】
図４（ｂ）は受電装置である携帯電話１０１の装置状態を記憶している。電池残量４０４は電池３０４の容量の５％である。ユーザ情報４０５は携帯電話１０１のユーザ１０３の識別情報である“Ｂ”を記憶している。使用頻度４０７は携帯電話１０１の一日の使用状況を記憶する。要求電力４０６は、携帯電話１０１がＤＳＣ１００に要求する電力量を記憶する。ここには、要求された電力量がＤＳＣ１００の電池２０６に占める割合を記憶する。要求電力４０６によれば携帯電話１０１はＤＳＣ１００の電池２０６の容量の５％を要求している。使用頻度４０７は携帯電話１０１の一日の使用状況を記憶する。使用頻度４０７によれば携帯電話１０１は一日に１時間使用される。また、ユーザ情報４０１とユーザ情報４０５を比較すると、ＤＳＣ１００と携帯電話１０１のユーザは異なることが分かる。
【００１５】
図５に、暫定量記憶部２０２が記憶するテーブルを示す。暫定記憶部２０２では、３つの条件（優先度５００、電池残量５０１、ユーザ比較５０２）に基づいて選択される暫定の送電量を記憶している。暫定の送電量は、送電装置であるＤＳＣ１００の電池の容量に対する割合で表わされる。優先度５００は送電装置であるＤＳＣ１００に対する受電装置（即ち、携帯電話１０１）の優先度を示す。なお、優先度は、例えば、送電装置と受電装置の使用頻度に基づいて決定されるものとし、詳細は後述する。電池残量５０１は受電装置または送電装置の電池残量を示す。ユーザ比較５０２はＤＳＣ１００と携帯電話１０１のユーザ情報（４０１、４０５）を比較した結果を示している。図５によれば、携帯電話１０１の優先度５００が高く、携帯電話１０１の電池残量が１０％以下で、ＤＳＣ１００と携帯電話１０１のユーザが異なる場合は、暫定の送電量として８％の電力を設定することを示している。また、ユーザ比較５０２が異なる場合の暫定の送電量は、ユーザ比較５０２が同一の場合の送電量に比べて低い値に設定している。
【００１６】
図６に、送電量記憶部２０４が記憶するテーブルを示す。優先度６００は送電装置であるＤＳＣ１００に対する受電装置（即ち、携帯電話１０１）の優先度を示す。ユーザ比較６０１は、ＤＳＣ１００と携帯電話１０１のそれぞれのユーザ情報を比較した結果、同一であるか異なるかを記憶する。暫定送電量６０２は、後述する決定部２０３のフローに基づいて決定部２０３が暫定量記憶部２０２から選択する暫定の送電量である。送電量６０３は、決定部２０３が決定する携帯電話１０１への送電量である。図６によれば、携帯電話１０１の優先度６００はＤＳＣ１００より高く、ＤＳＣ１００と携帯電話１０１のユーザは異なっている。また、決定部２０３は暫定送電量６０２として“８％“を選択し、最終的に携帯電話１０１に送電する送電量６０３は５％と決定したことを示している。
【００１７】
図７に、本実施形態のシーケンス図を示す。また、図８、図９にＤＳＣ１００の制御部２０９が記憶部２１０から読み出して実現するフローチャートを示す。なお、図８（ａ）に示すフローチャートは、装置状態記憶部２０１を更新する際に実現され、図８（ｂ）に示すフローチャートは、受電装置である携帯電話１０１の優先度を決定する際に実現される。また、図９（ａ）に示すフローチャートは、暫定の送電量を選択する際に実現され、図９（ｂ）に示すフローチャートは、携帯電話１０１に送電する送電量を決定する際に実現される。
【００１８】
携帯電話１０１はＤＳＣ１００に対して、通信部３００を介して携帯電話１０１の装置ＩＤを通知する（７００）。この装置ＩＤ通知は、ＤＳＣ１００と携帯電話１０１が電力の送受電に使用するプロトコル（送受電方式）が同一かどうかの認証に使用される。制御部２０９はプロトコルの認証に成功すると、ＤＳＣ１００の電池２０６の残量を取得する（７０１、Ｓ８００）。そして制御部２０９は装置状態記憶部２０１における電池残量４００の値を更新する（７０２、Ｓ８０１）。続いて、携帯電話１０１はＤＳＣ１００に、携帯電話１０１の電池３０４の残量を通知する（７０３）。制御部２０９は、携帯電話１０１の電池残量を取得すると（Ｓ８０２）、装置状態記憶部２０１の電池残量４０４の値を更新する（Ｓ８０３）。次に携帯電話１０１は自身のユーザ情報（ここでは、“Ｂ”）をＤＳＣ１００に通知する（７０５）。制御部２０９は携帯電話１０１のユーザ情報を取得すると（Ｓ８０４）、装置状態記憶部２０１のユーザ情報４０５を更新する（７０６、Ｓ８０５）。そして、携帯電話１０１はＤＳＣ１００に要求する電力量を通知する（７０７）。制御部２０９は携帯電話１０１の要求電力を取得すると（Ｓ８０６）、装置状態記憶部２０１の要求電力４０６を更新する（７０８、Ｓ８０７）。
【００１９】
続いて、制御部２０９はＤＳＣ１００の使用頻度を取得し（７０９、Ｓ８０８）、装置状態記憶部２０１のＤＳＣ１００の使用頻度４０２を更新する（７１０、Ｓ８０９）。次に、携帯電話１０１はＤＳＣ１００に、自身の使用頻度を通知する（７１１）。制御部２０９は携帯電話１０１の使用頻度を取得すると（Ｓ８１０）、装置状態記憶部２０１の使用頻度４０７を更新する（７１２、Ｓ８１１）。
【００２０】
続いて、暫定の送電量および最終的に携帯電話１０１に送電する送電量を決定する処理について、決定部２０３のフロー（図９）に基づいて説明する。図９（ａ）のフローでは、決定部２０３は、送電量記憶部２０４と暫定量記憶部２０２を参照し、暫定送電量６０２を選択する。
【００２１】
決定部２０３は携帯電話１０１の優先度を決定する為にＤＳＣ１００の使用頻度４０２と携帯電話１０１の使用頻度４０７を比較する（７１３）。ＤＳＣ１００の使用頻度４０２と携帯電話１０１の使用頻度４０７を比較すると、携帯電話１０１の使用頻度４０７の方が高い（Ｓ９００でＹＥＳ）。よって、決定部２０３は携帯電話１０１の優先度はＤＳＣ１００の優先度よりも高いと判定し（Ｓ９０１）、送電量記憶部２０４の優先度６００を更新する（７１４、Ｓ９０２）。Ｓ９００において、携帯電話１０１の使用頻度４０７の方が高くなければ（Ｓ９００でＮＯ）、決定部２０３は携帯電話１０１の優先度はＤＳＣ１００の優先度よりも低いと判定する（Ｓ９０３）。
【００２２】
決定部２０３は、送電量記憶部２０４の優先度６００を参照する（７１５）。優先度６００によれば、携帯電話１０１の優先度は高い（Ｓ９０４でＹＥＳ）。
【００２３】
次に、決定部２０３は装置状態記憶部２０１の携帯電話１０１の電池残量４０４を参照し（７１６）、電池残量４０４が１０％以上かどうか判定する（Ｓ９０５）。電池残量４０４によれば、携帯電話１０１の電池残量は１０％より小さい（Ｓ９０５でＮＯ）。
【００２４】
次に、決定部２０３は装置状態記憶部２０１のユーザ情報（４０１、４０６）を参照し（７１７）、ユーザ情報を比較する（Ｓ９０６）。ユーザ情報４０１および４０６によれば、ＤＳＣ１００と携帯電話１０１のユーザ情報は異なるので（Ｓ９０６でＮＯ）、決定部２０３は送電量記憶部２０４のユーザ比較６０１を更新する（７１８）。
【００２５】
そして、決定部２０３は送電量記憶部２０４を参照し、送電量記憶部２０４の優先度６００とユーザ比較６０１に基づいて、暫定量記憶部２０２から暫定送電量６０２を選択する。
【００２６】
送電量記憶部２０４によれば、携帯電話１０１の優先度６００は“高”であり、ユーザ比較６０１は“異なる”である。よって、決定部２０３は暫定量記憶部２０２を参照し、優先度５００が“高”、ユーザ比較が“異なる”、かつＳ９０５で判定した携帯電話１０１の電池残量が１０％以下という条件に合致する暫定送電量である“８％”を選択する（Ｓ９０７）。そして、決定部２０３は送電量記憶部２０４の暫定送電量６０２を更新する（７２１）。
【００２７】
図９（ｂ）のフローでは、決定部２０３は、図９（ａ）で選択した暫定送電量６０２が適正か否かおよびＤＳＣ１００が送電可能か否かを判定し、最終的に送電量を決定する（７２２）。
【００２８】
まず、決定部２０３は装置状態記憶部２０１の給電４０３を参照し、ＤＳＣ１００が外部の電源から給電されているかを判定する（Ｓ９１９）。給電４０３によれば、ＤＳＣ１００は給電されていない（Ｓ９１９でＮＯ）。次に決定部２０３は暫定送電量６０２が適正か否かを判定する為に、暫定送電量６０２と要求電力４０６を比較する（Ｓ９２０）。ここで、暫定送電量６０２は８％であり、要求電力４０６の５％よりも大きい（Ｓ９２０でＹＥＳ）。
【００２９】
ここで、ＤＳＣ１００が要求電力４０６（５％）より大きい暫定送電量６０２（８％）を送電した場合に、携帯電話１０１の電池３０４にダメージを与える可能性があり、暫定送電量６０２は適切でないといえる。ここで、ダメージとは、過充電することにより電池が発熱したり、電池の性能が劣化したりすることを指す。このため、決定部２０３は、暫定送電量６０２は適切でないと判定する。そして、Ｓ９２０でＹＥＳ以降のステップでは、送電量６０４として暫定送電量６０２は設定しない。
【００３０】
つづいて決定部２０３は要求電力４０６とＤＳＣ１００の電池残量４００を比較する（Ｓ９２１）。図４によると要求電力４０６は電池残量４００よりも小さい（Ｓ９２１でＮＯ）。よって、決定部２０３は要求電力４０６が送電可能であると判定し、送電量６０２を要求電力４０６の“５％”に決定し（Ｓ９２２、７２２）、送電量記憶部２０４の送電量６０３を更新する（７２３）。
【００３１】
送電量６０３が決定すると、ＤＳＣ１００の制御部２０９は通信部２００を介して携帯電話１０１に送電量を通知し（７２４、Ｓ９２３）、送電部２０５を介して携帯電話１０１に送電を開始する（Ｓ９２４）。
【００３２】
Ｓ９２０において、暫定送電量６０２が要求電力量よりも小さい場合は（Ｓ９２０でＮＯ）、暫定送電量６０２を送電しても携帯電話１０１の電池３０４にダメージを与える可能性はないと考えられる。よって、決定部２０３はＳ９２５で電池残量４００と比較した上で、送電可能であれば（Ｓ９２５でＮＯ）、送電量６０３を暫定送電量６０２に決定する（Ｓ９２６）。
【００３３】
Ｓ９１９において、ＤＳＣ１００が外部の電源から給電を受けていれば（Ｓ９１９でＹＥＳ）、送電量６０２を要求電力４０６に決定する（Ｓ９２２）。
【００３４】
Ｓ９２５やＳ９２１において、暫定送電量６０２や要求電力４０６が電池残量４００よりも大きい場合（Ｓ９２１でＹＥＳ、Ｓ９２５でＹＥＳ）、決定部２０３は携帯電話１０１の優先度６００が“高”であるかを判定する（Ｓ９２７）。携帯電話１０１の優先度６００が“高”であれば（Ｓ９２７でＹＥＳ）、決定部２０３は、送電量６０２を電池残量４００に決定する（Ｓ９２８）。また、携帯電話１０１の優先度６００が“高”でなければ（Ｓ９２７でＮＯ）、決定部２０３は送電するか否かの選択肢をＤＳＣ１００の図示しないＵＩ上に表示し、ユーザ１００に選択させる（Ｓ９２９）。これは、携帯電話１０１に電池残量４００を送電することによりＤＳＣ１００は使用できなくなることをユーザに認識させることを目的としている。Ｓ９２９の結果、“送電する”が選択された場合は（Ｓ９３０でＹＥＳ）、決定部２０３は送電量６０２を電池残量４００に決定する（Ｓ９２８）。また、“送電する”が選択されなかった場合は（Ｓ９３０でＮＯ）、決定部２０３は携帯電話１０１に送電不可通知を行う（Ｓ９３１）。当該通知を受けた携帯電話１０１は、カメラ１００から受電できないことをユーザに通知する。
【００３５】
以上のように、本実施例によれば送電装置であるＤＳＣ１００は、自身と受電装置である携帯電話１０１とのユーザ情報を比較し、比較結果に応じて送電量（図５）を選択する構成とした。これにより、送電装置と受電装置の各々のユーザに応じた送電量で充電することができる。また、送電量をＵＩ上で設定する為に押し間違いによって意図しない送電量が設定されることを防止することができる。
【００３６】
図９（ａ）のフローでは、決定部２０３は、優先度５００が“低”の場合の暫定送電量の最大値が、優先度５００が“高”の場合の暫定送電量の最大値を超えないように設定する。これは、優先度５００が“高”の場合（Ｓ９０４でＹＥＳ）に選択される暫定送電量の最大値が１０％（Ｓ９０８）であること、優先度５００が“低”の場合（Ｓ９０４でＮＯ）に選択される最大値が６％（Ｓ９１８）であることを比較すれば明らかである。
【００３７】
また、決定部２０３は、優先度５００が“低”の場合の暫定送電量の最小値が、優先度５００が“高”の場合の暫定送電量の最小値を超えないように設定する。これは、優先度５００が“高”の場合（Ｓ９０４でＹＥＳ）に選択される暫定送電量の最小値が４％（Ｓ９１０）であること、優先度５００が“低”の場合（Ｓ９０４でＮＯ）に選択される最大値が２％（Ｓ９１４）であることを比較すれば明らかである。こうすることで、受電装置である携帯電話１０１の優先度に応じた送電量の制御が可能となる。
【００３８】
また、図９（ａ）のフローは優先度の高い装置（ＤＳＣ１００または携帯電話１０１）の装置状態を考慮したフローとしている。例えば、Ｓ９０４において携帯電話１０１の優先度が高い場合は（Ｓ９０４でＹＥＳ）、つづくＳ９０５で携帯電話１０１の装置状態（電池残量４０４）に基づいて、決定部２０３が暫定送電量を選択する。また、例えば、Ｓ９０４においてＤＳＣ１００の優先度が高い場合は（Ｓ９０４でＮＯ）、つづくＳ９１２でＤＳＣ１００の装置状態（電池残量４００）に基づいて、決定部２０３が暫定送電量を選択する。こうすることで、優先度が高い装置の装置状態に応じた送電が可能となる。
【００３９】
また、決定部２０３はＤＳＣ１００と携帯電話１０１のユーザが異なる場合の暫定送電量が、ユーザが同一場合の暫定送電量を超えないように設定する。これは、Ｓ９０７とＳ９０８、Ｓ９１０とＳ９１１、Ｓ９１４とＳ９１５、Ｓ９１７とＳ９１８の暫定送電量をそれぞれ比較すれば明らかである。こうすることで、ＤＳＣ１００と携帯電話１０１のユーザ情報に基づいた送電量の制御が可能となる。
【００４０】
また、装置情報記憶部２０１、暫定量記憶部２０２、決定部２０３、送電量記憶部２０４は、ＤＳＣ１００の内部に存在しなくてもよい。例えば、受電装置である携帯電話１０１の内部に存在してもよいし、図１に図示しない装置の内部にあってもよい。
【００４１】
また、装置状態記憶部２０１のユーザ情報４０１および４０５は、図１のユーザ１０２および１０３の識別情報としたが、識別情報は個人の識別情報であってもよいし、ユーザ１０２および１０３が属するグループの識別情報であってもよい。
【００４２】
また、優先度６００は、ＤＳＣ１００および携帯電話１０１の使用頻度（１日の使用状況）に基づいて決定されたが、これは時間あたりの電池残量の変化を基づいてもよい。即ち、ＤＳＣ１００の電池の減りかたの方が携帯電話１０１の電池の減りかたと比べて小さい場合には優先度６００を“高”とし、そうでない場合は優先度６００を“低”とする。これにより、送電装置よりも電池の減りが早い（時間あたりの電池残量の変化が大きい）受電装置に対しては、送電量を大きくすることができる。
【００４３】
また、優先度６００は、電池容量に基づいて決定されてもよい。即ち、ＤＳＣ１００の電池容量よりも携帯電話１０１の電池容量の方が大きい場合には優先度６００を“高”とし、そうでない場合は優先度６００を“低”とする。これにより、電池容量が大きな受電装置に対して送電量を大きくすることができ、受電装置の動作可能な時間を長く確保することができる。
【００４４】
また、送電装置であるＤＳＣ１００の電池残量４００は、ＤＳＣ１００の電池２０６に保持しておくべき最低限の電池量を電池残量から減算したものであってもよい。例えば、ＤＳＣ１００が最低限撮影できる枚数から前記最低限の電池量を算出するといった方法がある。また、前記最低限の電池量は、受電装置である携帯電話の優先度６００に応じて複数設定できる構成でもよい。例えば、優先度６００が“高”である場合は、優先度６００が“低”である場合と比較して、前記最低限の電池量を低く設定する。こうすることで、Ｓ９２８において、携帯電話１０１の優先度６００が“高”であった場合に、携帯電話１０１の優先度６００が“低”であった場合と比較して多くの送電が可能となる。
【００４５】
上述の本実施形態では、送電を開始する前に、送電装置は受電装置に対して送電量を通知した。しかしこれに限らず、受電装置に送電量を通知することなく、決定部２０３が決定した送電量の送電を完了すると送電装置が送電を停止するようにしてもよい。これにより、受電装置に予め送電量を通知することなく、送電装置送電量を制御することができる。
【００４６】
また、要求電力量を通知しない受電装置である場合には、制御部２０９はこれを判定して、要求電力量は暫定送電量と同じ値であるものとして扱う。該判定は、例えば、Ｓ８０６において所定時間経過しても要求電力量を取得できなかったことにより判定すればよい。この場合、例えば、図９（ｂ）のＳ９２０では要求電力量と暫定送電量は同じ値であるため、ＮＯに分岐する。なお、受電装置から送電停止の要求が来た場合には送電を停止する。これにより、要求電力量を通知しない受電装置に対しても、送電装置と受電装置の各々のユーザに応じた送電量制御を行うことができる。また、送電停止の要求の受信に応じて送電を停止するので、受電装置の電池にダメージを与える可能性を低減することができる。
【００４７】
また、上述の実施形態では、送電装置が商用電源から給電されている場合には、送電装置から受電装置への送電量は、要求電力量としていた。しかしこれに限らず、送電装置が商用電源から給電されている場合には、受電装置が満充電となるまで、または、受電装置から送電停止の要求が来るまで、送電するようにしてもよい。これにより、商用電源からの給電を、より有効に活用することができる。
【００４８】
また、上述の実施形態では、送電装置のユーザと受電装置のユーザとが同じ場合、異なる場合と比べて送電量を多くした。これに限らず、送電装置側で友人リストを作成できるようにし、受電装置のユーザが友人リストに登録されたユーザである場合には、ユーザが同じ場合と同様に処理を行うようにしてもよい。これにより、所定の相手が有する受電装置に対しては、送電装置の所有者が有する受電装置と同様に送電を行うことができる。
【００４９】
また、送電装置のユーザと受電装置のユーザとが異なる場合には送電量を０、即ち、電力を送らないようにしてもよい。これにより、ユーザが意図せずに他人の受電装置に電力を送信してしまうことを防ぐことができる。
【符号の説明】
【００５０】
２００  通信部
２０１  装置状態記憶部
２０２  暫定量記憶部
２０３  決定部
２０４  送電量記憶部
２０５  送電部
２０６  電池
２０７  給電部
２０８  カメラ部
２０９  制御部
２１０  メモリ
【図１】
0005885492.tif 000002
【図２】
0005885492.tif 000003
【図３】
0005885492.tif 000004
【図４】
0005885492.tif 000005
【図５】
0005885492.tif 000006
【図６】
0005885492.tif 000007
【図７】
0005885492.tif 000008
【図８】
0005885492.tif 000009
【図９】
0005885492.tif 000010